(57)【要約】      （修正有）【課題】混合水の温度変化に迅速に対応でき、例えば手すり型水栓へ取替可能な外径を持つコンパクトな水栓本体を備えたサーモ型湯水混合水栓を提供すること。【解決手段】サーモ本体５は、湯配管用継手８内の湯穴８ａと連通する湯導入孔２０を有し、また、前記サーモ本体５は、環状の給水流路１５を介して前記水栓本体１の内側に設けられている一方、前記湯配管用継手８とサーモ本体５間をシールして前記環状の給水流路１５に湯がリークするのを防止するシール部材４８を前記湯穴８ａ内で前記湯導入孔２０のまわりに設け、更に、サーモ本体５内に設けられた筒状の混合水流路形成部材４６を介して感温スプリング３２をサーモ本体５内に設ける一方、前記混合水流路形成部材４６は、サーモバルブ３０に当接するよう前記水弁座２２の内側に位置する混合水流通口４７を有する。【選択図】図１
2005127444.tif 000002
【特許請求の範囲】
【請求項１】
一端側に水、湯、または混合水の吐出・止水機能と流量調整機能を有する切替ハンドルを設けるとともに、他端側に混合水の温度調節機能を有する温調ハンドルを設け、湯配管用継手を介して湯配管と連通する湯接続口と、水配管用継手を介して水配管と連通する水接続口とを有する筒状の水栓本体の内部に、切替ハンドルと接続可能な切替ユニットと、温調ハンドルと接続可能な温調ユニットが装入されるとともに、前記温調ユニットは、温調ハンドルによって予め設定してある温度の混合水の流路を形成するよう前記水栓本体の内側に設けられた筒状のサーモ本体を有し、このサーモ本体は、温調ハンドル側に固定される筒状の温調ハンドル取り付け用固定ハウジングを有し、切替ハンドル側に形成される水弁座を有し、また、温調ハンドル側における内部に固定設置される湯弁座部材を有する一方、この湯弁座部材との間に形成される給湯側通路のすき間および前記水弁座との間に形成される給水側通路のすき間を調整するよう前記水栓本体の長手方向に沿って移動するサーモバルブをサーモ本体内に設け、更に、前記湯弁座部材を介してサーモバルブを温調ハンドルの側とは反対の側に付勢するバイアススプリングを前記固定ハウジング内部とサーモ本体内部にわたり設け、サーモバルブを温調ハンドルの側に付勢するよう形状記憶合金よりなるコイル形状の感温スプリングを水弁座より下流側のサーモ本体内に設けてなり、温調ハンドルを操作したときに前記両スプリングの付勢力が釣り合う位置までサーモバルブが移動するとともに、設定温度とは異なる混合水の温度を感温スプリングが感温すると感温スプリングが変化し、感温スプリングとバイアススプリングの間でサーモバルブの位置を調整するよう構成されたサーモ型湯水混合水栓であって、前記サーモ本体は、前記湯配管用継手内の湯穴と連通する湯導入孔を有し、また、前記サーモ本体は、環状の給水流路を介して前記水栓本体の内側に設けられている一方、前記湯配管用継手とサーモ本体間をシールして前記環状の給水流路に湯がリークするのを防止するシール部材を前記湯穴内で前記湯導入孔のまわりに設け、更に、サーモ本体内に設けられた筒状の混合水流路形成部材を介して感温スプリングをサーモ本体内に設ける一方、前記混合水流路形成部材は、サーモバルブに当接するよう前記水弁座の内側に位置する混合水流通口を有することを特徴とするサーモ型湯水混合水栓。
【請求項２】
前記給水側通路のすき間を通る水が前記混合水流路形成部材とサーモ本体間から混合水流路内にリークするのを防止するシール部材を設けてある請求項１に記載のサーモ型湯水混合水栓。
【請求項３】
前記混合水流路形成部材の中心部で、かつ、前記混合水流通口の下流側に、前記混合水流通口から前記混合水流路形成部材内に流入する混合水の流れを前記中心部よりも外側に位置する感温スプリングの側に向けるための部材を設けた請求項１または請求項２に記載のサーモ型湯水混合水栓。
【請求項４】
前記温調ハンドル側に固定される筒状の温調ハンドル取り付け用固定ハウジングは、温調ハンドルの栓棒に連設されたスクリュ棒と、このスクリュ棒が噛合する溝を有し、水栓本体の長手方向に沿って前記固定ハウジング内を進退移動可能な筒状のスクリュ棒受け部材と、このスクリュ棒受け部材とで前記バイアススプリングを挟持するとともにサーモバルブ先端を押圧しながら、前記スクリュ棒受け部材と共に前記長手方向に沿って進退移動するシャフトとから構成され、更に、前記シャフトとスクリュ棒受け部材とはスプリングピンにて連結されている請求項１ないし請求項３のいずれかに記載のサーモ型湯水混合水栓。
【発明の詳細な説明】
【技術分野】
【０００１】
この発明は、サーモ型湯水混合水栓に関するものである。
【背景技術】
【０００２】
形状記憶合金よりなるコイル形状の感温スプリングを用いたサーモ型湯水混合水栓として、下記特許文献１に示すように、攪拌部材をサーモバルブの近傍位置に設けて混合水を攪拌し、感温スプリング周囲の温度分布を均一にするよう構成されたものがある。
また、下記特許文献２に示すように、外径が例えば４６ｍｍの水栓本体を備えたサーモ型湯水混合水栓から浴室に設置される手すりとして規格に合った手すり型水栓へ取替えることができるよう例えば３４ｍｍと小径の外径を持つ水栓本体を備えたサーモ型湯水混合水栓がある。
【特許文献１】特許第３４１４０６８号公報（特開平９−６０７６０号公報）
【特許文献２】特開２００３−０５６０２６号公報
【発明の開示】
【発明が解決しようとする課題】
【０００３】
しかし、感温スプリングを用いた前者のサーモ型湯水混合水栓では、混合水の温度調節を行う温調ハンドルと接続可能な温調ユニットが筒状の水栓本体の内部に、筒状の断熱ブッシュを介して装入されているので、その分水栓本体の外径が大きくなる。
また、後者の手すり型水栓の場合は、感温スプリングを用いていないので混合水の温度変化に迅速に対応できなかった。
【０００４】
この発明は、上述の事柄に留意してなされたもので、その目的は、混合水の温度変化に迅速に対応でき、例えば手すり型水栓へ取替可能な外径を持つコンパクトな水栓本体を備えたサーモ型湯水混合水栓を提供することである。
【課題を解決するための手段】
【０００５】
上記目的を達成するために、この発明のサーモ型湯水混合水栓は、一端側に水、湯、または混合水の吐出・止水機能と流量調整機能を有する切替ハンドルを設けるとともに、他端側に混合水の温度調節機能を有する温調ハンドルを設け、湯配管用継手を介して湯配管と連通する湯接続口と、水配管用継手を介して水配管と連通する水接続口とを有する筒状の水栓本体の内部に、切替ハンドルと接続可能な切替ユニットと、温調ハンドルと接続可能な温調ユニットが装入されるとともに、前記温調ユニットは、温調ハンドルによって予め設定してある温度の混合水の流路を形成するよう前記水栓本体の内側に設けられた筒状のサーモ本体を有し、このサーモ本体は、温調ハンドル側に固定される筒状の温調ハンドル取り付け用固定ハウジングを有し、切替ハンドル側に形成される水弁座を有し、また、温調ハンドル側における内部に固定設置される湯弁座部材を有する一方、この湯弁座部材との間に形成される給湯側通路のすき間および前記水弁座との間に形成される給水側通路のすき間を調整するよう前記水栓本体の長手方向に沿って移動するサーモバルブをサーモ本体内に設け、更に、前記湯弁座部材を介してサーモバルブを温調ハンドルの側とは反対の側に付勢するバイアススプリングを前記固定ハウジング内部とサーモ本体内部にわたり設け、サーモバルブを温調ハンドルの側に付勢するよう形状記憶合金よりなるコイル形状の感温スプリングを水弁座より下流側のサーモ本体内に設けてなり、温調ハンドルを操作したときに前記両スプリングの付勢力が釣り合う位置までサーモバルブが移動するとともに、設定温度とは異なる混合水の温度を感温スプリングが感温すると感温スプリングが変化し、感温スプリングとバイアススプリングの間でサーモバルブの位置を調整するよう構成されたサーモ型湯水混合水栓であって、前記サーモ本体は、前記湯配管用継手内の湯穴と連通する湯導入孔を有し、また、前記サーモ本体は、環状の給水流路を介して前記水栓本体の内側に設けられている一方、前記湯配管用継手とサーモ本体間をシールして前記環状の給水流路に湯がリークするのを防止するシール部材を前記湯穴内で前記湯導入孔のまわりに設け、更に、サーモ本体内に設けられた筒状の混合水流路形成部材を介して感温スプリングをサーモ本体内に設ける一方、前記混合水流路形成部材は、サーモバルブに当接するよう前記水弁座の内側に位置する混合水流通口を有することを特徴とする。
【発明の効果】
【０００６】
この発明では、環状の給水流路を介して筒状のサーモ本体を筒状の水栓本体の内側に設け、前記サーモ本体に、湯配管用継手内の湯穴と連通する湯導入孔を設け、前記湯穴内で前記湯導入孔のまわりに湯配管用継手とサーモ本体間をシールするシール部材を設けて前記環状の給水流路に湯がリークするのを防止するように構成したので、温調ユニットを前記水栓本体の内部に直接装入できる。そのため、筒状の断熱ブッシュを介して温調ユニットを水栓本体の内部に装入したものに比して水栓本体の外径を小さくでき、コンパクトなサーモ型湯水混合水栓を提供できる。
【発明を実施するための最良の形態】
【０００７】
以下、この発明の実施形態を、図を参照しながら説明する。なお、それによってこの発明は限定されるものではない。
【０００８】
図１〜図１１は、浴室に設置される手すりとして規格に合った手すり型水栓へ取替えることが可能な例えば３４ｍｍの外径を持つ筒状の水栓本体を備えたこの発明の一実施形態を示す。
図１〜図１１において、１は、例えば３４ｍｍの外径を持つ筒状の水栓本体で、右端に水、湯、または混合水の吐出・止水機能と流量調整機能を有する切替ハンドル（図示せず）を設けるとともに、左端に混合水の温度調節機能を有する温調ハンドル２を設けてある。温調ハンドル２および切替ハンドルは、操作時に水栓本体１の軸芯Ｘまわりに回動するよう構成されている。水栓本体１は、右端に切替ユニット３が装入される開口１ａを有する一方、他端に温調ユニット４が装入される開口１ｂを有する。切替ユニット３は、前記開口１ａを介して水栓本体１の内部に軸芯Ｘと同軸になるよう装入配置される。温調ユニット４は、前記温調ハンドル２と接続可能で、前記開口１ｂを介して水栓本体１の内部に軸芯Ｘと同軸になるよう装入配置される。また、前記温調ユニット４の端部、具体的には後述するサーモ本体５の端部５ａは、Ｏリング６を介して前記切替ユニット３の端部、具体的には切替ユニット３の外ケースとしての切替弁ケース７の端部７ａに接続可能に構成されている。この実施形態では前記端部７ａ内に前記端部５ａが着脱可能に嵌込まれている。また、水栓本体１は、湯配管（図示せず）に連通するよう筒状の湯配管用継手８が着脱可能に装着された湯接続口９と、水配管（図示せず）に連通するよう筒状の水配管用継手９が着脱可能に装着された水接続口１０と、シャワーホース用継手１１が着脱可能に装着されたシャワーホース接続口１２とを背面側に有するとともに、下面側に、吐水管用継手（図示せず）が着脱可能に装着された水、湯、または混合水の吐水管接続口１３を有する。図３において、１４で示す矢印は、水配管から水栓本体１に流入する水流入路を示し、１５で示す矢印（点線）は、水栓本体１内を環状に流れる水の環状流路（以下、環状の給水流路という）を示し、１６で示す矢印は、湯配管から水栓本体１に流入する湯流入路を示し、１７で示す矢印（実線）は、水栓本体１内を流れる湯の流路を示す。また、１８で示す矢印は、水栓本体１から流出する混合水のシャワーホースへの流出路を示し、１９で示す矢印（点線）は、水栓本体１からシャワーホース用継手１１へ流出する混合水の流路を示す。切替弁ケース７は、筒状で、水栓本体１の内壁ＷにＯリングなどのシール部材７ａを介して固定されている。一方、前記温調ユニット４の外ケースとしての前記サーモ本体５は、切替ハンドル側が環状の給水流路１５を介して水栓本体１の内側に設けられるとともに、温調ハンドル側が水栓本体１の内壁ＷにＯリングなどのシール部材５ｂを介して固定されている。
【０００９】
前記サーモ本体５は、前記湯配管用継手８内の湯穴８ａと連通する一つの湯導入孔２０と複数の水導入孔２１を有し、また、切替ハンドル側に形成される環状の水用シート（水弁座）２２を有する。また、サーモ本体５の温調ハンドル側における内部には、環状の湯用シート（湯弁座）２３（図８参照）が一方面に形成されたリング状の湯弁座部材２４がＯリングなどのシール部材２５を介してサーモ本体５の内壁に固定されている。更に、この湯弁座部材２４に隣接するサーモ本体５の温調ハンドル側で、サーモ本体５の内壁には、筒状の温調ハンドル取り付け用固定ハウジング２６の右端がシール部材２７を介して固定されている。
【００１０】
３０は、サーモ本体５内に設けたサーモバルブである。サーモバルブ３０は、外側の筒状体３０ａと、この筒状体３０ａ内に中心軸が前記軸芯Ｘと一致するよう連設された縦断面十字型のリブ３０ｂとからなり、このリブ３０ｂは、温調ハンドル側において筒状体３０ａの温調ハンドル側における端面Ｎよりも突出して後述するシャフト３６に当接する端面Ｍを有する。そして、筒状体３０ａの前記端面Ｎと湯弁座部材２４の湯弁座２３との間に給湯側通路のすき間Ａが形成され、筒状体３０ａの切替ハンドル側における端面Ｎ’と水弁座２２との間に給水側通路のすき間Ｂが形成され、サーモバルブ３０は、これらすき間Ａ，Ｂを調整するよう水栓本体１の長手方向（軸芯Ｘの方向）に沿って移動する。
【００１１】
また、前記湯弁座部材２３を介してサーモバルブ３０を温調ハンドル２の側とは反対の側に付勢するバイアススプリング３１を前記固定ハウジング２６内部とサーモ本体５内部にわたり設けてある。また、サーモバルブ３０を温調ハンドル２の側に付勢するよう形状記憶合金よりなるコイル形状の感温スプリング３２を水弁座２２より下流側のサーモ本体５内に設けてある。また、前記固定ハウジング２６は、温調ハンドル２の栓棒２ａに連設されたスクリュ棒３３と、このスクリュ棒３３が噛合する溝３４を有し、水栓本体１の長手方向に沿って前記固定ハウジング２６内を進退移動可能な有底筒状のスクリュ棒受け部材３５と、このスクリュ棒受け部材３４とで前記バイアススプリング３１を挟持するとともにサーモバルブ３０のリブ３Ｏｂの端面（先端）Ｍを押圧しながら、前記スクリュ棒受け部材３５と共に前記長手方向に沿って進退移動するシャフト３６とから構成されている。そして、前記シャフト３６とスクリュ棒受け部材３５とはスプリングピン３７にて連結されている。また、スクリュ棒受け部材３５は、胴の上部と下部にガイド片３５ａを有する一方、前記固定ハウジング２６は、内周面の上下位置にガイド片３５ａが水栓本体１の長手方向（軸芯Ｘの方向）に摺動可能なガイド溝（図示せず）を有する。また、前記シャフト３６は、リブ３０ｂの端面（先端）Ｍが当接する当接面Ｍ’を切替ハンドル側に有するとともに、バイアススプリング３１における切替ハンドル側の端面が当たる環状の当たり面Ｓを有する大径部３６ａと、大径部３６ａの中心から温調ハンドル側に連設されたシャフト部３６ｂとよりなり、シャフト部３６ｂは、軸方向に細長い一対の切欠４０を胴に有する。また、有底筒状のスクリュ棒受け部材３５の底部３５ｃは、バイアススプリング３１における温調ハンドル側の端面が当たる環状の当たり部４１と、当たり部４１から切替ハンドル側に突出状態で連設された当たり部４１よりも小径の環状部４２とで構成され、環状部４２には、前記スプリングピン３７が貫通可能な大きさの一対のピン孔３７ａ，３７ａが形成されている。そして、前記バイアススプリング３１は、シャフト３６の大径部３６ａの当たり面Ｓとスクリュ棒受け部材３５の底部３５ｃの当たり部４１との間に介装された後、一方のピン孔３７ａから一対の切欠４０を介して他方のピン孔３７ａにまでスプリングピン３７を差し込むことにより、スクリュ棒受け部材３５とシャフト３６が連結される。２４ａは、湯弁座部材２４の中央開口で、リブ３０ｂが貫通可能な大きさに設定されている。
【００１２】
４６は、サーモ本体５内に設けられた筒状の混合水流路形成部材である。この混合水流路形成部材４６に前記感温スプリング３２が収容されている。前記混合水流路形成部材４６は、前記水弁座２２の内側に位置する平面視円形の混合水流通口４７を有する。この混合水流通口４７は、環状の内側フランジ４７’によって形成される。そして、感温スプリング３２の付勢力によって前記内側フランジ４７’はサーモバルブ３０に常時当接している。すなわち、上述したように、サーモバルブ３０のリブ３０ｂは、シャフト３６に当接する端面Ｍを温調ハンドル側に有する。また、リブ３０ｂは、切替ハンドル側に前記内側フランジ４７’に当接する端面Ｍ’’を有している。なお、感温スプリング３２の温調ハンドル側における端部３２ａは混合水流通口４７の内面に当接するとともに、感温スプリング３２の切替ハンドル側における端部３２ｂはサーモ本体５に形成された切替ハンドル側における環状の端部５ｅの内面に当接することで、感温スプリング３２は、混合水流路形成部材４６およびサーモ本体５間に介装されている。
【００１３】
更に、前記湯配管用継手８とサーモ本体５間をシールして前記環状の給水流路１５に湯がリークするのを防止するシール部材４８を前記湯穴８ａ内で前記湯導入孔２０のまわりに設けてある。また、前記給水側通路のすき間Ｂを通る水が前記混合水流路形成部材４６とサーモ本体５間から混合水流路Ｆ内にリークするのを防止するＯリング等のシール部材４９を設けてある。
【００１４】
而して、環状の給水流路１５を介して筒状のサーモ本体５を筒状の水栓本体１の内側に設け、前記サーモ本体５に、湯配管用継手８内の湯穴８ａと連通する一つの湯導入孔２０を設け、前記湯穴８ａ内で前記湯導入孔２０のまわりに湯配管用継手８とサーモ本体５間をシールするシール部材４８を設けて前記環状の給水流路１５に湯がリークするのを防止するように構成したので、温調ユニット４が内部に直接装入できるコンパクトな水栓本体１を得ることができる。
また、前記シャフト３６とスクリュ棒受け部材３５とをスプリングピン３７にて連結するだけでバイアススプリング３１を挟持できるので、温調ハンドル取り付け用固定ハウジング２６をサーモ本体５と同じ外径に形成できる。
【００１５】
図１２、図１３は、混合水流路形成部材４６の中心部で、かつ、前記混合水流通口４７の下流側に、前記混合水流通口４７から前記混合水流路形成部材４６内に流入する混合水の流れＦを前記中心部よりも外側に位置する感温スプリング３２の側に向けるための部材５０を設けてあるこの発明の他の実施形態を示す。
【００１６】
図１２、図１３において、前記部材５０は、円板５０ａと、前記内側フランジ４７’から円板５０ａに連設された一対の脚部５０ｂ，５０ｂとより構成される。円板５０ａの中心軸と混合水流通口４７の中心軸は水栓本体１の軸芯Ｘに一致しており、円板５０ａよりも混合水流通口４７が大きな径を有するとともに、円板５０ａは、混合水流通口４７の下流側に前記内側フランジ４７’とは所定の距離を有して位置している。
【００１７】
而して、混合水流通口４７から前記混合水流路形成部材４６内に流入した混合水は、円板５０ａに当たり、混合水の流れＦは前記中心部よりも外側に位置する感温スプリング３２の側に至るとともに、円板５０ａの直下流において、混合水の流れＦは渦を巻く渦流Ｇとなる。このように混合水に渦流Ｇを発生させることができるので、混合水を迅速に所定温度に設定できるとともに、この所定温度の混合水が感温スプリング３２の側に至るので設定温度とは異なる混合水の温度を感温スプリング３２が感温すると感温スプリング３２が迅速に変化することになる。
【図面の簡単な説明】
【００１８】
【図１】この発明の一実施形態を示す要部構成説明図である。
【図２】上記実施形態で用いた温調ユニットを示す構成説明図である。
【図３】上記実施形態における温調動作を示す全体構成説明図である。
【図４】（Ａ）は、上記実施形態で用いたサーモ本体を示す側面図である。（Ｂ）は、図４（Ａ）におけるＡ−Ａ断面図である。
【図５】上記実施形態における要部分解斜視図である。
【図６】上記実施形態における温調動作を示す要部構成説明図である。
【図７】上記実施形態で用いたシャフトとスクリュ棒受け部材との連結状態を示す構成説明図である。
【図８】上記実施形態で用いた湯弁座部材示す構成説明図である。
【図９】（Ａ）は、上記実施形態で用いたサーモバルブを示す構成説明図である。（Ｂ）は、上記実施形態で用いたサーモバルブを示す背面図である。
【図１０】（Ａ）は、上記実施形態で用いたシャフトを示す構成説明図である。（Ｂ）は、上記実施形態で用いたシャフトを示す背面図である。
【図１１】（Ａ）は、上記実施形態で用いたスクリュ棒受け部材を示す側面図である。（Ｂ）は、上記実施形態で用いたスクリュ棒受け部材を示す縦断面図である。
【図１２】この発明の他の実施形態における温調動作を示す要部構成説明図である。
【図１３】上記他の実施形態で用いた混合水の流れを感温スプリングの側に向けるための部材を主として示す平面図である。
【符号の説明】
【００１９】
１      水栓本体
２      温調ハンドル
３      切替ユニット
４      温調ユニット
５      サーモ本体
８      湯配管用継手
８ａ    湯穴
９      湯接続口
１５    環状の給水流路
１６    湯流入路
１７    湯の流路
１９    混合水の流路
２０    湯導入孔
２２    水弁座
２３    湯弁座
２４    湯弁座部材
２６    固定ハウジング
３０    サーモバルブ
３１    バイアススプリング
３２    感温スプリング
４６    混合水流路形成部材
４７    混合水流通口
Ａ      給湯側通路のすき間
Ｂ      給水側通路のすき間
【図１】
2005127444.tif 000003
【図２】
2005127444.tif 000004
【図３】
2005127444.tif 000005
【図４】
2005127444.tif 000006
【図５】
2005127444.tif 000007
【図６】
2005127444.tif 000008
【図７】
2005127444.tif 000009
【図８】
2005127444.tif 000010
【図９】
2005127444.tif 000011
【図１０】
2005127444.tif 000012
【図１１】
2005127444.tif 000013
【図１２】
2005127444.tif 000014
【図１３】
2005127444.tif 000015